(57)【要約】【課題】ごみの付着などによるデータ電極の引き出し線の短絡や電界集中によるマイグレーションを生じにくく、背面基板上の外周部のスペースを小さくできるプラズマディスプレイパネルを提供する。【解決手段】表示電極が形成された前面基板と、表示電極と交差し所定ピッチで配列された複数のデータ電極１１を有する背面基板３とを備えたプラズマディスプレイパネルであって、背面基板３の端部には、データ電極１１と外部端子とを電気的に接続しデータ電極１１のピッチよりも狭ピッチで配列されたデータ電極端子３０と、それぞれのデータ電極１１とそれぞれのデータ電極端子３０とを接続する引き出し線２５とを備え、引き出し線２５のデータ電極端子３０と接続される部分が曲線部３２を有していることを特徴とする。【選択図】図３
2007188763.tif 000002
【特許請求の範囲】
【請求項１】
表示電極が形成された前面基板と、前記表示電極と交差し所定ピッチで配列された複数のデータ電極を有する背面基板とを備えたプラズマディスプレイパネルであって、
前記背面基板の端部には、前記データ電極と外部端子とを電気的に接続し前記データ電極のピッチよりも狭ピッチで配列されたデータ電極端子と、それぞれの前記データ電極とそれぞれの前記データ電極端子とを接続する引き出し線とを備え、前記引き出し線の前記データ電極端子と接続される部分が曲線部を有していることを特徴とするプラズマディスプレイパネル。
【請求項２】
前記曲線部の曲線は、前記データ電極端子の端部の延長線上に中心を有する円弧であることを特徴とする請求項１に記載のプラズマディスプレイパネル。
【請求項３】
前記引き出し線の前記データ電極と接続される部分は、前記曲線部に接する直線であることを特徴とする請求項１に記載のプラズマディスプレイパネル。
【発明の詳細な説明】
【技術分野】
【０００１】
本発明は、画像表示装置などに利用するプラズマディスプレイパネルに関する。
【背景技術】
【０００２】
プラズマディスプレイパネル（以下、「パネル」と略記する）として代表的な交流面放電型パネルは、複数の表示電極対を配列した前面基板と複数のデータ電極を配列した背面基板とが対向配置され、その間に複数の放電セルが形成されている。そして放電セルには、放電によって紫外線を放出するガスが封入されており、この紫外線を受けて蛍光体層が発光して、画像を表示するように構成されている。
【０００３】
図７（ａ）は従来のパネルの背面基板７１上に配列されたデータ電極７２の構成を示す図である。背面基板７１上には複数のデータ電極７２が配列された画像表示領域７３が形成されている。背面基板７１上の外周部の上側長辺には、複数の端子部７４が設けられている。端子部７４には、データ電極７２に外部から電圧を印加できるように背面基板７１の端面近傍まで形成されたデータ電極端子７６が設けられている。そして、引き出し線７７によりデータ電極７２とデータ電極端子７６とが接続されている。端子部７４のそれぞれには、フレキシブルプリント配線板（以下、「ＦＰＣ」と略記する）７５が圧着され、これを介して外部から電圧がデータ電極７２に印加される。ＦＰＣ７５を圧着するためには貼りしろが必要であり、端子部７４の幅はＦＰＣ７５の幅よりも狭くなる。このためにデータ電極端子７６のピッチはデータ電極７２のピッチよりも狭く設計されている。
【０００４】
図７（ｂ）は従来のパネルの引き出し線７７の詳細を示す図である。引き出し線７７は、直線形状に形成されており、データ電極７２とデータ電極端子７６とが接続された接続部７８を備えている。したがって、データ電極７２とデータ電極端子７６とのピッチを合わせるために引き出し線７７はデータ電極７２から絞り込まれるように曲げられてデータ電極端子７６に接続されている。図に示すように接続部７８では、引き出し線７７が曲げられてデータ電極端子７６に接続されているために、引き出し線７７の線幅および線間幅は、データ電極端子７６の線幅および線間幅に比べて狭くなり、接続部７８には角が形成されている。
【０００５】
データ電極７２を形成する方法としては、Ａｇなどからなる導電性ペーストをスクリ−ン印刷により形成する方法や、背面基板７１上に電極材料の膜を形成した後にフォトリソグラフィー法を用いて形成する方法が用いられている。データ電極７２の本数が多くなって、その線幅や線間幅が小さなってくると、電極を形成するためのスクリーンやマスクの精度などの条件によっては、データ電極７２の引き出し線７７の断線や線間での短絡が生じやすくなる。また、データ電極端子７６と引き出し線７７との接続部７８に角があると、電極材料であるＡｇやガラスなどを固着させるための有機材料を溶解しきれないために生じる電極形成時のごみが角の部分に付着し、引き出し線７７が短絡しやすくなる。
【０００６】
このような課題を解決するために、例えば図８における従来のパネルのデータ電極端子部７６付近の詳細を示す図のように、データ電極７２の引き出し線７９を直角の屈曲部を２箇所以上有するクランク状のパターンとする方法が開示されている。データ電極７２を直線形状に延長した後に２つのクランク状のパターンを設けることにより、引き出し線７９においてもデータ電極端子部７６の線幅および線間幅と同等かそれ以上の線幅および線間幅を確保できている（例えば、特許文献１参照）。
【特許文献１】特開２００１−２８３７３６号公報
【発明の開示】
【発明が解決しようとする課題】
【０００７】
しかしながら、パネルの解像度に対する要望はだんだんと高くなっており、さらに高精細度化している。高精細度テレビ放送用のパネルでは、ＶＧＡ（Ｖｉｄｅｏ  Ｇｒａｐｈｉｃｓ  Ａｒｒａｙ）表示用のパネルに比べてさらに高い解像度が要求される。５０インチ以上のパネルの例では、そのデータ電極７２の線幅は１００μｍで、線間幅は１５０μｍになる。また、データ電極端子７６の線幅は８０μｍで、線間幅は１３５μｍになる。そして、さらにサイズの小さいパネルも高精度化が図られるものと想定され、その場合にはデータ電極端子７６の線間幅は８０μｍよりも狭くなることが想定される。引き出し線７９の線間幅が狭くなると、引き出し線７９に印加される電圧によって、より大きな電界が生じることになる。マイグレーションによる絶縁破壊に至る時間は、電界が大きくなるほど短くなるので、引き出し線７９の線間幅は広い方がよい。
【０００８】
また、引き出し線７９を直角の屈曲部を２箇所以上有するクランク状のパターンとする方法では、データ電極７２とデータ電極端子７６とを引き出し線７９で接続するために、データ電極端子７６の線幅と線間幅との和に、データ電極端子７６の個数の半分をかけ算して得られるスペースが必要である。例えば１本のＦＰＣ７５には４００個程度のデータ電極端子７６が接続されるので、データ電極７２とデータ電極端子７６との間の引き出し線７９を形成するためのスペースは４０ｍｍ程度になる。このため背面基板７１上の外周部に、引き出し線７９を形成するためのスペースが大きく必要になる。
【０００９】
このように高精細パネルでは、引き出し線７９の線幅および線間幅は、端子部７６付近で極めて狭くなり、引き出し線７９は断線や短絡を生じやすくなる。また引き出し線７９に直角に近いような角の部分があると電極形成時に生じるごみの付着などによる短絡や電界集中によるマイグレーションを生じやすく、また背面基板７１上の外周部に大きなスペースも必要になるという課題を有していた。
【００１０】
本発明は、このような従来の課題を解決するものであり、高精細パネルであっても、ごみの付着などによるデータ電極の引き出し線の短絡や電界集中によるマイグレーションの生じにくく、背面基板上の外周部のスペースを小さくできるパネルを提供することを目的とする。
【課題を解決するための手段】
【００１１】
上記課題を解決するために本発明のパネルは、表示電極が形成された前面基板と、表示電極と交差し所定ピッチで配列された複数のデータ電極を有する背面基板とを備えたプラズマディスプレイパネルであって、背面基板の端部には、データ電極と外部端子とを電気的に接続しデータ電極のピッチよりも狭ピッチで配列されたデータ電極端子と、それぞれのデータ電極とそれぞれのデータ電極端子とを接続する引き出し線とを備え、引き出し線のデータ電極端子と接続される部分が曲線部を有していることを特徴とする。
【００１２】
このような構成により、高精細パネルであっても、引き出し線とデータ電極端子とが接続する部分に角がないために、ごみの付着などによるデータ電極の引き出し線の短絡や電界集中によるマイグレーションの生じにくく、背面基板上の外周部のスペースを小さくできるパネルを提供できる。
【００１３】
さらに、本発明のパネルの引き出し線の曲線部の曲線は、データ電極端子の端部の延長線上に中心を有する円弧で形成されていてもよい。このような構成により、高精細パネルであっても、引き出し線とデータ電極端子とが接続する部分に角がなく、最も寸法裕度の厳しいデータ電極端子と同等以上の線幅および線間幅とを有しているために、ごみの付着などによるデータ電極の引き出し線の短絡や電界集中によるマイグレーションの生じにくく、背面基板上の外周部のスペースを小さくできるパネルを提供できる。
【００１４】
さらに、本発明のパネルの引き出し線のデータ電極と接続される部分は、曲線に接する直線で形成されていてもよい。このような構成により、滑らかで連続的な曲線と直線とにより、データ電極端子と同等以上の線幅および線間幅を有するようにして引き出し線を構成できる。そしてデータ電極の線幅および線間幅がデータ電極端子に比べて広いために、引き出し線を直線形状に形成することで容易にパターン設計をすることができる。そのために高精細パネルであっても、ごみの付着などによるデータ電極の引き出し線の短絡や電界集中によるマイグレーションを生じにくく、背面基板上の外周部のスペースを小さくできるという利点がある。
【発明の効果】
【００１５】
本発明によれば、高精細パネルであっても、ごみの付着などによるデータ電極の引き出し線の短絡や電界集中によるマイグレーションの生じにくく、背面基板上の外周部のスペースを小さくできるパネルを提供することができる。
【発明を実施するための最良の形態】
【００１６】
以下、図面を用いて本発明の実施の形態について詳細に説明する。
【００１７】
（第１の実施の形態）
図１は本発明の第１の実施の形態におけるパネル１の分解斜視図である。パネル１には、対向配置された前面基板２と背面基板３との間に複数の放電セルが形成されている。前面基板２上には、誘電体層６および保護層７で覆われた走査電極１６と維持電極１７とからなる表示電極対１８が平行して複数配列されている。走査電極１６は可視光を透過する透明電極１２と電極の抵抗を低くする役割を果たすバス電極１３とから構成される。同様に維持電極１７も透明電極１４とバス電極１５とから構成される。一方、背面基板３上には、表示電極対１８に直交する方向に下地誘電体層１０に覆われた複数のデータ電極１１が互いに平行して配列されている。隣り合うデータ電極１１の間には、放電空間を区画するための隔壁８が設けられている。そして下地誘電体層１０上と隔壁８の側面には蛍光体層９が形成されている。放電セルには、放電によって紫外線を放射するガスとして例えばネオンやキセノンなどが封入されている。そして放電セル内での放電により発生する紫外線によって蛍光体層９が励起され、可視光を発生し映像を表示する。
【００１８】
上記したようにパネル１は、前面基板２と背面基板３とが対向配置され、その間隙に放電空間が形成されている。そして放電空間に形成された放電セルから画像表示領域が構成されている。また、その前面基板２と背面基板３との外周部は、ガラスフリットなどによる封着材によって封着されている。そして前面基板２および背面基板３から電極端子の引き出しを行う場合は、表示電極対１８およびデータ電極１１に外部から電圧を印加できるように前面基板２および背面基板３の端面近傍まで形成された電極端子を設け、この電極端子を通して外部回路と接続することによって行っている。また、この電極端子と外部回路との接続は、電極端子にＦＰＣを圧着することにより行っている。
【００１９】
図２は本発明の第１の実施の形態におけるパネル１の背面基板３上に配列されたデータ電極１１の構成を示す図である。図２では、画像表示領域１９を破線で囲って示している。その画像表示領域１９には、複数のデータ電極１１が並んで形成されている。本実施の形態における高精細パネルでは、データ電極１１の本数は５７６０本である。そして、その線幅は１００μｍで、線間幅は１５０μｍに設計されている。
【００２０】
背面基板３上の外周部の上側長辺には、複数のデータ電極端子３０が複数の端子部２６に分けられて形成されている。１つの端子部２６には、１本のＦＰＣ２７が圧着される。本実施の形態では、１５本のＦＰＣ２７を用いるので、３８４本のデータ電極端子３０が１本のＦＰＣ２７に接続されている。ＦＰＣ２７を圧着するためには貼りしろが必要であり、端子部２６の幅はＦＰＣ２７の幅よりも狭くなる。そのためデータ電極端子３０の線幅と線間幅とは、データ電極１１の線幅と線間幅とに比べて、ともに狭く設計されている。本実施の形態では、データ電極端子３０の線幅は８０μｍであり、線間幅は１３５μｍに設計されている。
【００２１】
引き出し線２５は、データ電極１１とデータ電極端子３０とを接続している。そして３８４本のデータ電極１１を１つの端子部２６に絞り込んでいる。
【００２２】
図３は本発明の第１の実施の形態におけるパネル１の引き出し線２５の詳細を示す図である。背面基板３の端部には、データ電極１１と外部端子とを電気的に接続しデータ電極１１のピッチよりも狭ピッチで配列されたデータ電極端子３０と、それぞれのデータ電極１１とそれぞれのデータ電極端子３０とを接続する引き出し線２５とが形成されている。また、本実施の形態では引き出し線２５は対称軸３３に対して左右対称に形成されている。
【００２３】
引き出し線２５は、データ電極端子３０に接続される部分が曲線形状に形成されている曲線部３２を有し、データ電極１１に接続される部分が前記曲線部３２に接する直線形状に形成された直線部３１を有している。
【００２４】
曲線部３２はデータ電極端子３０に曲率を有して接続され、滑らかな曲線形状に形成されている。そしてデータ電極端子３０との接続部３４において、曲線部３２の線幅および線間幅は、データ電極端子３０の線幅および線間幅とそれぞれ等しいように形成されている。このような曲線部３２は、例えば、データ電極端子３０との接続部３４に、データ電極端子３０の線幅および線間幅と等しい線幅および線間幅を有する円弧状のパターンを接続して形成することができる。
【００２５】
また、曲線部３２の線幅および線間幅は、データ電極端子３０との接続部３４以外の部分では、データ電極端子３０の線幅および線間幅と等しいかそれ以上の幅になるように任意の曲線形状に形成されている。
【００２６】
直線部３１は曲線部３２に接続され、角がないように滑らかに曲線部３２に接続するために、曲線部３２との境界において、曲線部３２と線幅および線間幅が等しくなるように、直線形状に形成されている。そして直線部３１は、データ電極１１に接続されている。データ電極１１の線幅および線間幅がデータ電極端子３０の線幅および線間幅に比べて広いために、直線部３１の線幅および線間幅はデータ電極端子３０の線幅および線間幅に比べて広くなる。このため電界集中によるマイグレーションを生じにくいので、直線部３１はパターン設計の容易な直線形状に形成されている。
【００２７】
このように引き出し線２５は、データ電極端子３０との接続部３４においてはその線幅および線間幅がデータ電極端子３０の線幅および線間幅と等しくかつ曲線形状に形成され、接続部３４以外の部分においてはその線幅および線間幅がデータ電極端子３０の線幅および線間幅と等しいかそれ以上の幅になるように形成されているので、高精細パネルであっても、ごみの付着などによる引き出し線２５の短絡や電界集中によるマイグレーションを生じにくいという効果を奏する。
【００２８】
次に引き出し線２５を形成する具体的な手順の一例について説明する。図４は本発明の第１の実施の形態におけるパネル１の引き出し線２５の詳細な構成方法の一例を示す図である。
【００２９】
まず曲線部３２を形成する手順について説明する。１つのデータ電極端子３０から滑らかにつながる曲線部３２を形成するために、円弧４０、４１を、Ａ点を中心として形成する。なお、本実施の形態では、Ａ点は図に示すように、データ電極端子３０と引き出し線２５との接続部３４を端子部２６外に延長した線上の点である。
【００３０】
そして、Ａ点を中心とし、データ電極端子３０の左側および右側に、接続部３４において接するように円弧４０および円弧４１を描く。この円弧４０によって曲線部３２の左側を形成する。同様にして、円弧４１によって曲線部３２の右側を形成する。円弧４０および円弧４１は、データ電極端子３０の左側および右側に、接続部３４において接しているので、円弧４０および円弧４１により形成する曲線部３２は、その線幅がデータ電極端子３０の線幅と同一である。このようにして、曲線部３２の曲線は、データ電極端子３０の端部の延長線上に中心を有する円弧４０，４１で形成される。
【００３１】
同様にして、対称軸３３から左側に位置する他の曲線部３２を、Ａ点を中心として形成することができる。このようにして曲線部３２を形成すれば、その線間幅もデータ電極端子３０と同一である。
【００３２】
また、対称軸３３から右側の曲線部３２は、Ａ点と対称な点を中心として、同様に形成することができる。
【００３３】
次に、直線部３１を形成する手順について説明する。直線部３１は、曲線部３２とデータ電極１１とを直線形状に形成したパターンで接続するために、曲線部３２の左側および右側に接する線分をデータ電極１１に接続して形成する。まず、データ電極１１の左側を通り、曲線部３２の左側を形成する円弧４０に接する接線を描く。そして、データ電極１１の左側と円弧４０に接する点とを結ぶ線分を直線部３１の左側とする。同様にして、データ電極１１の右側を通り、曲線部３２の右側を形成する円弧４１に接する接線を描く。そして、データ電極１１の右側と円弧４１に接する点とを結ぶ線分を直線部３１の右側とする。このようにして直線部３１を、曲線部３２を構成する２つの円弧４０、４１に接し、データ電極１１の左側および右側のそれぞれに接続される２つの線分によって形成する。同様にすれば、他の引き出し線２５の直線部３１も形成できる。
【００３４】
曲線部３２と直線部３１との境界で、直線部３１を形成する２つの線分は曲線部３２にそれぞれ接している。そのため引き出し線２５の幅は、曲線部３２と直線部３１との境界で、データ電極端子３０と同一となる。
【００３５】
上記のように、曲線部３２は、Ａ点を中心とする２つの円弧４０、４１により曲線形状に形成しているので、最も寸法裕度の厳しいデータ電極端子３０と同一の線幅および線間幅を有する。また、直線部分３１の線幅および線間幅は、データ電極端子３０の線幅および線間幅に比べて広いために、直線部分３１に電界集中によるマイグレーションを生じにくい。このため、直線部３１はパターン設計の簡単な直線形状に形成している。
【００３６】
図５は本発明の第１の実施の形態におけるパネルの引き出し線の詳細を示す図である。上記した手順に沿って、接続部３４を延長した線上で端子部２６に接するＢ点を中心として、引き出し線２５を形成した例を対称軸３３の左側の部分について示している。本実施の形態では、データ電極１１の線幅は１００μｍで、線間幅は１５０μｍであり、データ電極端子３０の線幅は８０μｍで、線間幅は１３５μｍに設計されている。そして端子部２６の幅Ｗ１は約８０ｍｍ、１つの端子部２６に絞り込まれる複数のデータ電極１１の幅Ｗ２を約９５ｍｍとしている。また、引き出し線２５を形成している引き出し部の幅Ｌ１を約１５ｍｍとしている。
【００３７】
引き出し線２５の直線部５１と曲線部５２との境界を結んだ破線を境界線５３として示している。この場合では、境界線５３と端子部２６との幅Ｌ２は約７ｍｍである。境界線５３がデータ電極１１に接すると、直線部５１を曲線部５２と滑らかに接続できなくなる。したがって、Ｌ１はＬ２に等しいかやや大きくすればよく、ガラスフリットなどによる封着材などの制約がなければ、７ｍｍ程度まで小さくできる。従来例ではＬ１は約４０ｍｍ必要であるので、それに比べて背面基板３上の外周部を形成するスペースを大幅に小さくできる。
【００３８】
このようにして、最も寸法裕度の厳しい接続部３４や境界線５３の部分でも角がなく、データ電極端子３０と同等以上の線幅および線間幅を有するように引き出し線２５を構成しているので、高精細パネルであっても、ごみの付着などによる引き出し線２５の短絡や電界集中によるマイグレーションを生じにくく、背面基板３上の外周部のスペースを小さくできるという効果を奏する。
【００３９】
（第２の実施の形態）
図６は本発明の第２の実施の形態におけるパネル１の引き出し線２５の詳細な構成方法の一例を示す図である。本発明の第１の実施の形態と同様な構成については同じ符号を付しており、同様な部分については説明を省略する。
【００４０】
本実施の形態における特徴は、中心を共有しない円弧により引き出し線２５を構成することである。この図では、曲線部６１、６２の線幅を等しくし、曲線部６１、６２による線間幅Ｗ３を広くする場合の一例を示す。
【００４１】
まず、Ｋ点を中心とする円弧によりデータ電極端子６３につながる曲線部６１を形成している。そしてデータ電極端子６４につながる曲線部６２は、Ｋ点より左側のＬ点を中心とする円弧により形成している。また、直線部６５、６６は上述した手順と同様にして形成している。このようにして、引き出し線２５を形成すると、中心を変更することにより線間幅Ｗ３を広くすることができる。この例では曲線部３２の線間幅を広くする場合について示したが、その線幅を広くすることもできる。このように曲線部３２は、接続部３４を端子部２６外に延長した線上に円弧の中心を備え、より大きい半径を有する円弧による曲線部３２はその中心を端子部２６から、より遠くに設定して、曲線形状に形成することにより、その線幅および線間幅をデータ電極端子３０の線幅および線間幅よりも広くすることができる。それによって引き出し線２５の断線やごみの付着などによる短絡を生じにくくできるという効果を奏する。
【００４２】
なお、本発明の第１および第２の実施の形態では、曲線部３２とデータ電極１１の間の部分には、直線部３１を形成したが、直線部３１に加えて、曲線部を形成してもよい。このようにすれば曲線部により、引き出し線２５をデータ電極１１の線幅および線間幅を保って引き出すことができるので、ごみの付着などによる引き出し線の短絡や電界集中によるマイグレーションを生じにくくできるという効果が得られる。
【００４３】
また、本発明の第１および第２の実施の形態では、データ電極端子３０の線幅と線間幅とは、データ電極１１の線幅と線間幅とに比べてともに狭く設計されているとした。しかし、データ電極端子３０とデータ電極１１との線幅が等しくてデータ電極端子３０の線間幅が狭い場合や、データ電極端子３０とデータ電極１１との線間幅が等しくてデータ電極端子３０の線幅が狭い場合にも本発明を適用することができる。これらの場合においても、上述したように引き出し線２５を曲線形状に形成すれば、データ電極端子３０の線幅および線間幅と同等以上の線幅および線間幅を確保できる。
【００４４】
また、本発明の第１および第２の実施の形態では、引き出し線２５は対称軸３３に対して左右対称に形成されているとした。しかし、引き出し線２５を左右対称に形成しない場合にも本発明を適用することができる。この場合においても、上述したように引き出し線２５を曲線形状に形成すれば、データ電極端子３０の線幅および線間幅と同等以上の線幅および線間幅を確保できる。
【００４５】
また、本発明の第１および第２の実施の形態では、曲線部３２を形成するために円弧を用いたが、データ電極端子３０と曲線部３２との接続部３４を延長した線上の点を焦点とする楕円を用いてもよい。このように楕円をデータ電極端子３０の左側および右側のそれぞれに接するようにして曲線部３２を形成しても、データ電極端子３０と同等の線幅および線間幅を有する曲線部３２を構成できる。この構成によれば曲線部３２の曲率半径を変えることができ、設計の自由度が増えるので、曲線部３２を最適な線幅および線間幅を有するように形成できる。
【００４６】
さらにまた、本発明の第１および第２の実施の形態では、データ電極１１の引き出し線２５に円弧や楕円に沿う曲線部３２を設けることとしたが、同様に走査電極１６や維持電極１７の引き出し線にも円弧や楕円に沿う曲線部を設けることにすれば、ごみの付着などによる引き出し線の短絡や電界集中によるマイグレーションを生じにくくできるという効果が得られる。
【産業上の利用可能性】
【００４７】
以上のように本発明によれば、ごみの付着などによるデータ電極の引き出し線の短絡や電界集中によるマイグレーションの生じにくく、背面基板上の外周部のスペースを小さくできるパネルを提供でき、パネルを利用した表示装置などに利用して有用である。
【図面の簡単な説明】
【００４８】
【図１】本発明の第１の実施の形態におけるパネルの分解斜視図
【図２】本発明の第１の実施の形態におけるパネルのデータ電極の構成を示す図
【図３】本発明の第１の実施の形態におけるパネルの引き出し線の詳細を示す図
【図４】本発明の第１の実施の形態におけるパネルの引き出し線の詳細な構成方法を示す図
【図５】本発明の第１の実施の形態におけるパネルの引き出し線の詳細を示す図
【図６】本発明の第２の実施の形態におけるパネルの引き出し線の詳細な構成方法を示す図
【図７】（ａ）は従来のパネルのデータ電極の構成を示す図、（ｂ）は従来のパネルの引き出し線の詳細を示す図
【図８】従来のパネルのデータ電極端子部付近の詳細を示す図
【符号の説明】
【００４９】
１    パネル
２    前面基板
３，７１    背面基板
６    誘電体層
７    保護層
８    隔壁
９    蛍光体層
１０    下地誘電体層
１１，７２    データ電極
１２，１４    透明電極
１３，１５    バス電極
１６    走査電極
１７    維持電極
１８    表示電極対
１９，７３    画像表示領域
２５，７７，７９    引き出し線
２６，７４    端子部
３０，６３，６４，７６    データ電極端子
３１，５１，６５，６６    （引き出し線２５の）直線部
３２，５２，６１，６２    （引き出し線２５の）曲線部
３３    対称軸
３４    接続部
４０，４１    円弧
５３    境界線
【図１】
2007188763.tif 000003
【図２】
2007188763.tif 000004
【図３】
2007188763.tif 000005
【図４】
2007188763.tif 000006
【図５】
2007188763.tif 000007
【図６】
2007188763.tif 000008
【図７】
2007188763.tif 000009
【図８】
2007188763.tif 000010